(57)【特許請求の範囲】
【請求項１】
送信されるファクシミリデータを受信する受信手段と、
この受信手段で受信されたファクシミリデータに基づいて印刷する印刷手段と、
この印刷手段での印刷終了後、上記受信手段で受信されたファクシミリデータから送信元情報を抽出する抽出手段と、
この抽出手段で抽出される送信元情報を一時記憶する第１の記憶手段と、
この第１の記憶手段に記憶された送信元情報が必要に応じて登録される第２の記憶手段と、
上記抽出手段で抽出された送信元情報が上記第１の記憶手段及び上記第２の記憶手段に記憶されていない場合、この送信元情報を上記第１の記憶手段に記憶する制御を行う第１の制御手段と、
この第１の制御手段の制御による上記第１の記憶手段内に送信元情報を記憶している一定期間を一時記憶保守タイミングとし、この一時記憶保守タイミングであるか否かを調査する第１の調査手段と、
この第１の調査手段で一時記憶保守タイミングであった場合、上記第１の記憶手段に記憶されている送信元情報が消去対象であるか否かを調査する第２の調査手段と、
この第２の調査手段の調査で消去対象である送信元情報を消去する消去手段と、
この消去手段で消去されなかった上記第１の記憶手段に記憶されている送信元情報の並べ替えを行う第２の制御手段と、
上記第１の制御手段または第２の制御手段の制御の後、上記第１の記憶手段に記憶されている送信元情報のうち必要な送信元情報を上記第２の記憶手段に登録する登録手段と、
を具備したことを特徴とするファクシミリ装置。
【請求項２】
ファクシミリ通信機能と複写機能とを有する画像形成装置において、
送信されるファクシミリデータを受信する受信手段と、
この受信手段で受信されたファクシミリデータに基づいて印刷する印刷手段と、
この印刷手段での印刷終了後、上記受信手段で受信されたファクシミリデータから送信元情報を抽出する抽出手段と、
この抽出手段で抽出される送信元情報を一時記憶する第１の記憶手段と、
この第１の記憶手段に記憶された送信元情報が必要に応じて登録される第２の記憶手段と、
上記抽出手段で抽出された送信元情報が上記第１の記憶手段及び上記第２の記憶手段に記憶されていない場合、この送信元情報を上記第１の記憶手段に記憶する制御を行う第１の制御手段と、
この第１の制御手段の制御による上記第１の記憶手段内に送信元情報を記憶している一定期間を一時記憶保守タイミングとし、この一時記憶保守タイミングであるか否かを調査する第１の調査手段と、
この第１の調査手段で一時記憶保守タイミングであった場合、上記第１の記憶手段に記憶されている送信元情報が消去対象であるか否かを調査する第２の調査手段と、
この第２の調査手段の調査で消去対象である送信元情報を消去する消去手段と、
この消去手段で消去されなかった上記第１の記憶手段に記憶されている送信元情報の並べ替えを行う第２の制御手段と、
上記第１の制御手段または第２の制御手段の制御の後、上記第１の記憶手段に記憶されている送信元情報のうち必要な送信元情報を上記第２の記憶手段に登録する登録手段と、
を具備したことを特徴とする画像形成装置。
【請求項３】
送信されるファクシミリデータを受信し、
この受信されたファクシミリデータに基づいて印刷し、
この印刷終了後、上記受信されたファクシミリデータから送信元情報を抽出し、
この抽出される送信元情報を一時記憶し、
この一時記憶された送信元情報を必要に応じて登録し、
上記抽出された送信元情報が上記一時記憶及び上記登録されていない場合、この送信元情報を一時記憶する制御を行い、
この制御による送信元情報を一時記憶している一定期間を一時記憶保守タイミングとし、この一時記憶保守タイミングであるか否かを調査し、
この調査で一時記憶保守タイミングであった場合、上記一時記憶されている送信元情報が消去対象であるか否かを調査し、
この調査で消去対象である送信元情報を消去し、
この消去されなかった一時記憶されている送信元情報の並べ替えを行い、
上記一時記憶されている送信元情報のうち必要な送信元情報を登録するようにしたことを特徴とする送信元情報の登録方法。
【発明の詳細な説明】
【０００１】
【発明の属する技術分野】
この発明は、たとえば、スキャナとプリンタに分離されたディジタル複写機などで、ファクシミリ機能を搭載した複合機としてのディジタル複写機等のファクシミリ装置と画像形成装置と送信元情報の登録方法に関する。
【０００２】
【従来の技術】
ファクシミリ機能を搭載した画像形成装置において、ファクシミリのように送信先の情報をメモリ等の記憶手段に電話帳等のかたちで保有する機能を有するものがあり、コントロールパネル等の入力装置よりオペレータがその送信先情報の全てを手動にて登録するか、受信したデータに付随する相手先情報を送信元情報としてその全てを自動的に登録するかしている。
【０００３】
例えば、特開平０４−１５０３７０号公報には、着呼した相手先番号および略称のうち、メモリの電子電話帳に未登録のものについて自動的に登録する機能を設けることにより、オペレータによる登録の手間を省略するファクシミリ装置が開示されている。
【０００４】
しかしながら、電話帳のかたちのメモリ等の記憶手段への登録を自動作業で行ったとしても受信データの全てが登録されると、すぐに膨大な量となり消し込みの作業が必要となり、手動作業で行う場合には登録のための入力作業が必要であった。
【０００５】
【発明が解決しようとする課題】
上記したように、ファクシミリ機能を搭載した画像形成装置において、ファクシミリを受信した際の送信元情報をメモリ等の記憶手段に電話帳等のかたちで保有する場合、電話帳の登録を手動作業で行う場合は登録のための入力作業が必要になり、また、自動作業で行ったとしても受信データの全てが電話帳としてメモリ等の記憶手段に登録されるとすぐに膨大な量となり消し込みの作業が必要となってしまってどちらにしても容易に登録できないという問題があった。
【０００６】
そこで、この発明は、ファクシミリを受信した際の送信元情報をメモリ等の記憶手段に電話帳等のかたちで保有する場合の登録における入力作業を必要とせず、消し込み作業も必要とせず容易に登録することのできるファクシミリ装置と画像形成装置と送信元情報の登録方法を提供することを目的とする。
【０００７】
【課題を解決するための手段】
この発明のファクシミリ装置は、送信されるファクシミリデータを受信する受信手段と、この受信手段で受信されたファクシミリデータに基づいて印刷する印刷手段と、この印刷手段での印刷終了後、上記受信手段で受信されたファクシミリデータから送信元情報を抽出する抽出手段と、この抽出手段で抽出される送信元情報を一時記憶する第１の記憶手段と、この第１の記憶手段に記憶された送信元情報が必要に応じて登録される第２の記憶手段と、上記抽出手段で抽出された送信元情報が上記第１の記憶手段及び上記第２の記憶手段に記憶されていない場合、この送信元情報を上記第１の記憶手段に記憶する制御を行う第１の制御手段と、この第１の制御手段の制御による上記第１の記憶手段内に送信元情報を記憶している一定期間を一時記憶保守タイミングとし、この一時記憶保守タイミングであるか否かを調査する第１の調査手段と、この第１の調査手段で一時記憶保守タイミングであった場合、上記第１の記憶手段に記憶されている送信元情報が消去対象であるか否かを調査する第２の調査手段と、この第２の調査手段の調査で消去対象である送信元情報を消去する消去手段と、この消去手段で消去されなかった上記第１の記憶手段に記憶されている送信元情報の並べ替えを行う第２の制御手段と、上記第１の制御手段または第２の制御手段の制御の後、上記第１の記憶手段に記憶されている送信元情報のうち必要な送信元情報を上記第２の記憶手段に登録する登録手段とから構成されている。
【００１１】
この発明のファクシミリ装置は、送信されるファクシミリデータを受信する受信手段と、この受信手段で受信されたファクシミリデータに基づいて印刷する印刷手段と、この印刷手段での印刷終了後、上記受信手段で受信されたファクシミリデータから送信元情報を抽出する抽出手段と、この抽出手段で抽出される送信元情報を一時記憶する第１の記憶手段と、この第１の記憶手段に記憶された送信元情報が必要に応じて登録される第２の記憶手段と、上記抽出手段で抽出された送信元情報が上記第１の記憶手段及び上記第２の記憶手段に記憶されていない場合、この送信元情報を上記第１の記憶手段に記憶する制御を行う制御手段と、この制御手段で上記第１の記憶手段に記憶された送信元情報のうち必要な送信元情報を上記第２の記憶手段に登録する登録手段と、この登録手段で上記第２の記憶手段に登録された上記第１の記憶手段に記憶されている送信元情報、あるいは上記第１の記憶手段に記憶されていて予め定められた期間を過ぎた送信元情報を削除する削除手段とから構成されている。
【００１２】
この発明の画像形成装置は、ファクシミリ通信機能と複写機能とを有する画像形成装置において、送信されるファクシミリデータを受信する受信手段と、この受信手段で受信されたファクシミリデータに基づいて印刷する印刷手段と、この印刷手段での印刷終了後、上記受信手段で受信されたファクシミリデータから送信元情報を抽出する抽出手段と、この抽出手段で抽出される送信元情報を一時記憶する第１の記憶手段と、この第１の記憶手段に記憶された送信元情報が必要に応じて登録される第２の記憶手段と、上記抽出手段で抽出された送信元情報が上記第１の記憶手段及び上記第２の記憶手段に記憶されていない場合、この送信元情報を上記第１の記憶手段に記憶する制御を行う第１の制御手段と、この第１の制御手段の制御による上記第１の記憶手段内に送信元情報を記憶している一定期間を一時記憶保守タイミングとし、この一時記憶保守タイミングであるか否かを調査する第１の調査手段と、この第１の調査手段で一時記憶保守タイミングであった場合、上記第１の記憶手段に記憶されている送信元情報が消去対象であるか否かを調査する第２の調査手段と、この第２の調査手段の調査で消去対象である送信元情報を消去する消去手段と、この消去手段で消去されなかった上記第１の記憶手段に記憶されている送信元情報の並べ替えを行う第２の制御手段と、上記第１の制御手段または第２の制御手段の制御の後、上記第１の記憶手段に記憶されている送信元情報のうち必要な送信元情報を上記第２の記憶手段に登録する登録手段とから構成されている。
【００１３】
この発明の送信元情報の登録方法は、送信されるファクシミリデータを受信し、この受信されたファクシミリデータに基づいて印刷し、この印刷終了後、上記受信されたファクシミリデータから送信元情報を抽出し、この抽出される送信元情報を一時記憶し、この一時記憶された送信元情報を必要に応じて登録し、上記抽出された送信元情報が上記一時記憶及び上記登録されていない場合、この送信元情報を一時記憶する制御を行い、この制御による送信元情報を一時記憶している一定期間を一時記憶保守タイミングとし、この一時記憶保守タイミングであるか否かを調査し、この調査で一時記憶保守タイミングであった場合、上記一時記憶されている送信元情報が消去対象であるか否かを調査し、この調査で消去対象である送信元情報を消去し、この消去されなかった一時記憶されている送信元情報の並べ替えを行い、上記一時記憶されている送信元情報のうち必要な送信元情報を登録するようにしたことを特徴とする。
【００１４】
【発明の実施の形態】
以下、この発明の一実施の形態について図面を参照して説明する。
図２は、この発明に係る画像形成装置としてのディジタル複写機の全体構成を概略的に示すものである。このディジタル複写機はスキャナ２及びプリンタ３を備え、上部に自動原稿送り装置（ＡＤＦ）４を装着している。
【００１５】
自動原稿送り装置４は、筐体としてのカバー本体２１の後端縁部が、装置本体の上面後端縁部に図示しないヒンジ装置を介して開閉自在に取付けられており、必要に応じて自動原稿送り装置４全体を回動変位させて原稿台５上を開放し得る構成となっている。カバー本体２１の上面やや右方向部位には、複数枚の原稿を一括保持し得る原稿給紙台２２が設けられている。装置の一端側には、原稿を順次一枚ずつ取出し原稿台５の一端側（図中左端側）に供給する給送手段２３が設けられている。給送手段２３は、原稿を取出すためのピックアップローラ２７、原稿をピックアップローラ２７に押付けるウエイト板２８、原稿給紙台２２への原稿のセット状態を検知する原稿検知センサとしてのエンプティセンサ２９等が配設されている。さらに、ピックアップローラ２７の原稿取出し方向には、給紙ローラ３２が配置され、確実に原稿が一枚ずつ給送されるようになっている。原稿台５の上面には、これを覆う原稿搬送ベルト３７が張設されている。原稿搬送ベルト３７は、一対のベルトローラ４０、４０に掛渡された外表面が白色の幅広無端ベルトからなり、ベルト駆動機構（図示しない）によって正逆両方向に走行し得る構成となっている。また、原稿搬送ベルト３７の内周部の裏面側には、ベルト面を原稿台５上に押さえ付けるための複数のベルト押えローラ４１…および自動原稿送り装置の開閉状態を検知するセットスイッチ（図示せず）が設けられている。そして、前記給送手段２３によって給送された原稿を、原稿台５の一端側（左端側）から他端側（右端側）に搬送する。装置の右側部位に排紙手段３８が設けられ、排紙手段３８は、搬送ローラ４４と、この搬送ローラ４４に原稿を押付けるピンチローラ４５と、排紙方向に送られる原稿の後端を検出する原稿検出手段としての排紙センサ４６等が設けられている。原稿排出路の下流側には、排紙ローラ４８が配設されている。また、原稿排出路には、原稿を表裏逆にして原稿台５に導くためにゲート８２が設けられ、原稿を両面複写可能としている。
【００１６】
スキャナ２は、光源としての露光ランプ６、ミラー１５を設置した第１キャリッジ７、光路を折曲げるミラー８ａ，８ｂを設置した第２キャリッジ９、レンズ１０、反射光を受光するＣＣＤセンサ１１、これらを各部の位置を変更する駆動系（図示しない）、およびＣＣＤセンサ１１の出力つまり画像データ（情報）をアナログデータからディジタルデータに変換するＡ／Ｄ変換部（図示せず）により構成されている。上記第１、第２キャリッジ７、９は、互いにタイミングベルト（図示しない）で結ばれており、第２キャリッジ９は第１キャリッジ７の１／２の速さで同じ方向に移動するようになっている。これにより、レンズ１０までの光路長が一定になるように走査できるようになっている。上記レンズ１０は、焦点距離固定で、変倍時に光軸方向へ移動されるようになっている。ＣＣＤセンサ１１は、原稿の１画素がＣＣＤセンサの１つの素子に対応している。ＣＣＤセンサ１１の出力はＡ／Ｄ変換部へ出力されるようになっている。第１、第２キャリッジ７、９、ミラー１２ａ、１２ｂの移動は、それぞれステッピングモータ（図示しない）により行われるようになっている。上記第１、第２キャリッジ７、９は、上記ステッピングモータの回転軸に連結されたドライブプーリ（図示しない）とアイドルプーリ（図示しない）間に掛渡されたタイミングベルト（図示しない）の動作に応じて移動されるようになっている。上記レンズ１０は、対応するステッピングモータ（図示しない）によりスパイラルシャフト（図示しない）が回転し、このスパイラルの動きによって光軸方向へ移動されるようになっている。
【００１７】
６０はレーザダイオードで、このレーザダイオード６０に対応してコリメートレンズ６２、ポリゴンミラー（多面反射鏡）６４、レンズ６６、反射鏡６８，７０、レンズ７２が配置され、露光装置５２からレーザ光を感光体ドラム５０に照射するようになっている。
【００１８】
プリンタ３は、たとえばレーザ光学系と転写紙に画像形成が可能な電子写真方式を組み合せている。すなわち、プリンタ３は、装置内のほぼ中央部に回転自在に軸支された像担持体としての感光体ドラム５０を有し、この感光体ドラム５０の周囲には、露光装置５２、現像装置５４、転写チャージャ５５、剥離チャージャ５６、ＰＣＣチャージャ５７、除電ランプ５８及び帯電チャージャ５９が順に配置されている。感光体ドラム５０は、帯電チャージャ５９によって一様に帯電されるようになっているとともに、スキャナ２からレーザ光を出力して前記感光体ドラム５０上に原稿の画像を結像し、静電潜像が形成されるようになっている。
【００１９】
そして、前記感光体ドラム５０上に形成された静電潜像は、現像装置５４により現像され、後述する給紙手段としての給紙カセット３０から給紙ローラ２０、アライニングローラ２５を介して送紙されるコピ−用紙Ｐ上に現像画像を転写チャージャ５５により転写される。この転写チャージャ５５による転写後のコピ−用紙Ｐは、ＡＣコロナ放電による剥離チャージャ５６により剥離されて、搬送ベルトを介して定着器７１に搬送され、この定着器７１によって現像画像が溶融定着されたコピ−用紙Ｐは、排紙ロ−ラ対７３により排紙トレイ７４ａを有するユニット７４に排出される。ユニット７４は排紙ローラ対７３から排出されるコピー用紙Ｐをフェイスダウンするローラ対７４ｂを有し、さらユニット７４の上部にステープルソートモードの際に１部毎にステープルするステープラ７４ｃを有している。
【００２０】
一方、前記コピ−用紙Ｐへの現像画像の転写・剥離後の感光体ドラム５０上に残留した現像剤は、ＰＣＣチャージャ５７により清掃され、除電チャージャ５８により感光体ドラム５０上の電位を一定のレベル以下にして、次のコピ−動作を可能にしている。
【００２１】
なお、コピ−用紙Ｐの両面に印刷する両面コピ−の場合には、前述した定着器７１によって現像画像が溶融定着されたコピ−用紙Ｐは搬送路７５ａを介して搬送された後、トレイ７５ｂに蓄積される。このトレイ７５ｂに蓄積された片面印刷済みの用紙Ｐは搬送路７５ｃを介して前述した転写チャ−ジャ５５に搬送され、印刷されていない他方の面に現像画像が転写される。また、トレイ７５ｂの下部には、光反射型の紙センサ７５ｄが設けられ、トレイ７５ｂ上にスタックされる用紙の有無が検知される。
【００２２】
また、搬送路７５ａ、トレイ７５ｂ、搬送路７５ｃ、および紙センサ７５ｄとから自動両面反転機構としての自動両面装置（ＡＤＤ）７５が構成されている。
また、図中３０は前記装置本体１のフロント側より着脱自在に上下複数段に装着された給紙手段としての給紙カセットである。この多段の給紙カセット３０は、コピー用紙Ｐが収納された筐体であるカセットケース３１からなり、このカセットケース３１の取出し端部は、用紙取出し方向に向け傾斜させてなる構成を有する。そして、前記給紙カセット３０のカセットケース３１内に収納されたコピー用紙Ｐは、ピックアップローラ８１にて最上層からピックアップされて取り出されるようになっている。このピックアップローラ８１にて取り出されて前記カセットケース３１の取出し端部側に送り込まれたコピー用紙Ｐは、前記カセットケース３１の取出し端部の内側上方に設置された給紙ローラ８４と分離ローラ（または分離パッド）８５とからなる用紙分離部にて一枚ずつ分離されて、プリンタ３に向け搬送されるようになっているものである。
【００２３】
さらに、このディジタル複写機の右側面（図中）には、大容量の給紙手段としてのＬＣＦ（ラージキャパシティフィーダ）４７が設けられている。
また、このディジタル複写機の前面上部には、コントロールパネル100 が設けられている。
【００２４】
図３は、コントロールパネル100 の構成を示すものである。すなわち、コントロールパネル100 は、フィニッシャーキー８２、表示パネル８３、給紙カセット３０の選択手段としてのカセット選択キー８６、操作ガイドキー８７、自動用紙選択キー８８、自動倍率選択キー８９、ズーム／１００％キー９０、原稿サイズキー９１、用紙サイズキー９２、メッセージ表示部９３、自動濃度キー９４、マニュアル濃度キー９５、予熱キー９６、割り込みキー９７、オールクリアキー９８、クリア／ストップキー９９、コピーキー101 、通信スタートキー102 、タイマキー103 、及びテンキー104 とから構成されている。
【００２５】
フィニッシャーキー８２は、ソートモード、グループモード、ステイプルモードを選ぶときに使用する。
表示パネル８３は、各種の絵文字が点滅・表示され、複写機の状態を表わす。
【００２６】
カセット選択キー８６は、選択されているカセットが希望のサイズでないとき、このキーを押して別のカセットを選ぶことができる。
操作ガイドキー８７は、「ＨＥＬＰ」キーを押すと、操作手順を示すメッセージが表示され、機能設定後に押すと設定内容を確認することができる。
【００２７】
自動用紙選択キー８８は、通常自動用紙選択モードになっている。原稿台（ガラス）５上にセットした原稿のサイズを自動的に検出し、それと同じサイズの用紙を自動的に選択する（等倍コピーのみ）。
【００２８】
自動倍率選択キー８９は、このキーを押して自動倍率選択モードを選び希望する用紙サイズを指定すると、原稿台（ガラス）５上にセットした原稿のサイズを検出し、自動的にコピー倍率を計算する。
【００２９】
ズーム／１００％キー９０は、「２５％＜」キーを押すと、コピー倍率は１％きざみで２５％まで小さくなる。「＞８００％」キーを押すと、コピー倍率は１％きざみで８００％まで大きくなる。「１００％」キーを押すと等倍（１００％）に戻る。
【００３０】
原稿サイズキー９１は、原稿サイズをセットするときに使用する。用紙サイズを選択して原稿サイズを指定すると、コピー倍率が自動的にセットされる。
用紙サイズキー９２は、用紙サイズを選択するときに使用する。
【００３１】
メッセージ表示部９３は、電子複写機の状態、操作手順およびユーザに対する各種の指示を文字と絵で表示する。表示手段としてのメッセージ表示部９３は、タッチパネルを内蔵し、機能の設定も行うことができる。また、メッセージ表示部９３は、後述するファクシミリ受信における送信元情報を後述するメモリの電話帳領域に登録する場合にも使用される。
【００３２】
自動濃度キー９４は、自動濃度を選択すると、電子複写機が自動的に原稿の濃淡を検出して最適コピー濃度を選択する。
マニュアル濃度キー９５は、マニュアル濃度では希望するコピー濃度を選ぶことができる。「うすく」キーを押して濃度を５段階でうすくでき、「こく」キーを押して５段階でこくできる。
【００３３】
予熱キー９６は、このキーを押すと、予熱（節電）状態に入りすべての表示ランプが消える。再びコピーをとるときは、もう一度このボタンを押す。
割り込みキー９７は、連続コピーの途中で、割り込みコピーをとりたいときに使用する。
【００３４】
オールクリアキー９８は、このキーを押すと、選択したモードがすべてクリアされ、標準状態に戻る。
クリア／ストップキー９９は、コピー枚数を訂正するとき、またはコピー動作を停止させるときに使用する。
【００３５】
コピーキー101 は、コピーを開始するときに押す。
通信スタートキー102 は、ファクシミリ通信における送信を開始するときに押す。
【００３６】
タイマキー103 は、このキーを押すと、何時に電子複写機の電源がオン、オフするか表示される（ウイークリータイマが設定されている場合）。
テンキー104 は、コピーしたい枚数をセットするときに使用する。コピー枚数は１〜９９９枚までセットできる。また、ファクシミリ通信における宛先ダイヤルを入力する際にも使用される。
【００３７】
図４は、この発明のディジタル複写機の制御構成を示すものである。
すなわち、この画像形成装置は、コンパネ部110 、スキャナ部120 、メインコントローラ部130 、プリンタエンジン部140 とで構成されている。
【００３８】
コンパネ部110 は、コントロールパネル100 を制御するコンパネＣＰＵ111 、ＲＡＭ112 、ＲＯＭ113 、コントロールパネル100 とで構成され、コンパネＣＰＵ111 により制御されている。
【００３９】
スキャナ部120 は、スキャナ部120 を制御するスキャナＣＰＵ121 、アナログ画像データを読み込むＣＣＤセンサ１１、Ａ／Ｄ変換を行うＡ／Ｄ変換回路123 、シェーディング補正を行うＳＨＤ回路124 、タイミングを合わせるラインメモリ125 、ＲＯＭ126 、ＲＡＭ127 、メカコン等128 、自動原稿送り装置（ＡＤＦ）４、座標入力装置のエディタ129 で構成されている。
【００４０】
メインコントローラ部130 は、メインコントローラ部130 を制御するメインＣＰＵ131 、制御用のプログラムやデータが収納されているＲＯＭ132 、プログラムを実行する上で必要となるＲＡＭ133 、表示印刷用のフォントデータが収納されているプリンタFONT ROM134 、ディスプレイＲＯＭ135 、スキャナ部120 で読み取ったデータをどこへ送るか、あるいはプリンタエンジン部140 へはデータをどのように送るかの切り替え及びバッファリングを行うデータ切り替え／データバッファメモリ回路136 、圧縮及び伸張等の画像編集を行う画像処理部137 、画像データをページ単位で管理するページメモリ138 、及びスキャナ部120 で読み込まれた画像データを電話回線を介してＦＡＸ（ファクシミリ）デ一タとして外部へ送出したり、電話回線より入ってきたファクシミリデータを画像データに変換してプリンタエンジン部140 で印刷を行うＦＡＸボード200 とで構成されている。
【００４１】
プリンタエンジン部140 は、プリンタエンジン部140 を制御するプリンタＣＰＵ141 、ＲＯＭ142 、ＲＡＭ143 、メカコン等144 、ＬＣＦ（ラージキャパシティフィーダ）４７、ユニット７４、多段給紙カセット３０、レーザ変調回路145 、レーザドライブ回路146 、レーザダイオード６０等が設けられている。
【００４２】
また、メインＣＰＵ131 は、コンパネＣＰＵ111 、スキャナＣＰＵ121 、プリンタＣＰＵ141 の制御も行っている。
図１は、ＦＡＸボード200 の詳細を示すものである。
【００４３】
図１の（ａ）においてＦＡＸボード200 には、ＦＡＸ（ファクシミリ）制御用のＦＡＸ  ＣＰＵ201 、プログラム及び表示用のフォントが搭載されろＲＯＭ202 、プログラム実行のためのＲＡＭ203 、画像データを記憶する画像メモリ204 、電話帳等記憶のための不揮発性メモリ205 、電話回線にて通信を行うインタフェイス206 によって構成される。
【００４４】
このうち不揮発性メモリは図１の（ｂ）に示すように、送信先情報を記憶する電話帳領域210 と、一時的に送信先情報を保持する一時記憶領域211 と、その他の情報を記憶するその他の領域212 とに分けられる。
【００４５】
なおＦＡＸボード200 内の制御はＦＡＸ  ＣＰＵ201 によって行われるが、ファクシミリ送受信に関する操作はインタフェイス206 及びメインＣＰＵ131 を介してオペレータがコントロールパネル100 を用いて行う。
【００４６】
次に、このような構成においてファクシミリ受信動作を図５〜図７のフローチャートを参照して説明する。
電話回線からのファクシミリ受信データは、ＦＡＸボード200 のインタフェイス206 を介して受信される。ＦＡＸ  ＣＰＵ201 は、ファクシミリ受信データを画像データと付加データとに分け、画像データはそのまま印刷を行い、付加データは受信データのヘッダとして画像データに変換し、上記画像データに付加してプリンタ３で印刷を行う。
【００４７】
この付加データには、送信元情報としての相手の名前（宛先情報）と電話番号とが含まれる。本発明では、この付加データに含まれる宛先情報と電話番号とを送信元情報として不揮発性メモリ205 内の一時記憶領域211 に保存する。そして一時記憶領域211 に保存された送信元情報は、不揮発性メモリ205 内のその他領域212 に予め定義された期間（ここでは７日間とする）だけ保存され、期間経過後破棄される。ただし、この破棄作業は予め定められた期間ごとに行われる。この一時記憶領域211 に記憶された送信元情報は随時オペレータにより電話帳領域210 に登録できる。
【００４８】
図５にファクシミリデータ受信時、これらの情報を一時記憶領域211 に保管するフローチャートを示す。
まず、ＦＡＸ  ＣＰＵ201 は、ファクシミリデータを電話回線からインタフェイス206 を介して受信してプリンタ３で印刷処理を終了したら、ファクシミリ受信データに送信元情報が付加しているか否かを確認する（ＳＴ１）。このとき送信元情報が付加していなければ一時記憶処理は行わない。
【００４９】
ＦＡＸ  ＣＰＵ201 は、送信元情報が付加されている場合にその送信元情報を抽出し（ＳＴ２）、抽出した送信元情報がすでに電話帳領域210 に登録されているか否かを調査する（ＳＴ３）。すでに登録されている情報であれば一時記憶処理は行わない。
【００５０】
また、ＦＡＸ  ＣＰＵ201 は、送信元情報が一時記憶領域211 の情報として既に登録（記憶）されているか否かも調査し（ＳＴ４）、既に登録されている場合は一時記憶処理を行わない。
【００５１】
上記条件を満たしたとき送信元情報は、一時記憶領域211 へ登録（記憶）される（ＳＴ５）。
図６に一定期間経過後、一時記憶領域211 に保管した送信元情報を消去するフローチャートを示す。
【００５２】
まずこの処理を一定周期で動作させるためにＦＡＸ  ＣＰＵ201 は、その他領域212 に予め記憶してある一定期間を一時記憶保守タイミングとして、一時記憶保守タイミングであるか否かを調査する（ＳＴ１１）。当然の事ながらこの一時記憶保守タイミングでなければこの処理は行われない。
【００５３】
一時記憶保守タイミングであればＦＡＸ  ＣＰＵ201 は、一時記憶の送信元情報のデータが一時記憶領域211 でエンプティ状態であるか否かを調べ（ＳＴ１２）、一時記憶領域211 がエンプティであればこの処理は行われない。
【００５４】
一時記憶領域211 に送信元情報のデータが存在する場合、ＦＡＸ  ＣＰＵ201 はデータの先頭を指定し（ＳＴ１３）、指定データが消去対象であるか否かを調査する（ＳＴ１４）。消去対象であればデータの消去処理を行い（ＳＴ１５）、消去対象でなければ次の処理へ移る。
【００５５】
ＦＡＸ  ＣＰＵ201 は、次のデータがあれば次のデータを指定し（ＳＴ１７）、このデータが消去対象であるか否かの処理を繰り返す（ＳＴ１４〜１７）。
次のデータなければＦＡＸ  ＣＰＵ201 は、全ての一時記憶領域211 に記憶されている送信元情報のデータの並べ替えを行い終了する（ＳＴ１８）。
【００５６】
図７にオペレータが、「電話帳登録」として一時記憶領域211 に記憶された送信元情報のデータを電話帳領域210 に登録するフローチャートを示す。
この処理は、オペレータによりコントロールパネル100 のメッセージ表示部９３を用いて電話帳登録が呼び出される。
【００５７】
メインＣＰＵ131 は電話帳登録が呼び出された際、もし、不揮発性メモリ205 の一時記憶領域211 に送信元情報のデータがないときには図８に示すようにメッセージ表示部９３にデータ無しの表示を行って終了する（ＳＴ２１、２２）。
【００５８】
メインＣＰＵ131 は、一時記憶領域211 に送信元情報のデータがあるときはポインタを一時記憶領域211 の先頭データに指定し（ＳＴ２３）、図９に示すようにメッセージ表示部９３にポインタデータの表示を行う（ＳＴ２４）。
【００５９】
このとき、オペレータによるメッセージ表示部９３上のキー入力で次データ、前データ、電話帳登録、削除、終了の各々が指定できる（ＳＴ２５）。
ここで、その各々の動作についてを個別に説明する。
【００６０】
次データが指定されたとき（ＳＴ２６）、次データがあればポインタをインクリメントして上記ポインタデータ表示処理へ戻る（ＳＴ２７、２８）。次データがなければポインタはそのままで、ステップＳＴ２４のポインタデータ表示処理へ戻る。
【００６１】
前データが指定されたとき（ＳＴ２９）、前データがあればポインタをデクリメントしてステップＳＴ２４のポインタデータ表示処理へ戻る（ＳＴ３０、３１）。前データがなければポインタはそのままで、ステップＳＴ２４のポインタデータ表示処理へ戻る。
【００６２】
電話帳登録が指定されたとき（ＳＴ３２）、一時記憶領域211 にある該当する送信元情報のデータを電話帳領域210 へ登録する（ＳＴ３３）。
削除が指定されたとき（ＳＴ３４）、あるいはステップＳＴ３３で登録されたときポインタ指定データを削除し（ＳＴ３５）、次データがあればポインタをインクリメントしてステップＳＴ２４のポインタデータ表示処理へ戻る（ＳＴ３６、３７）。次データがなければ前データがあるかを調べ（ＳＴ３８）、前データがあればポインタをデクリメントしてステップＳＴ２４のポインタデータ表示処理へ戻る（ＳＴ３９）。前データも次データもないときは、図８に示すようにメッセージ表示部９３にデータ無しの表示を行って終了する（ＳＴ４０）。
【００６３】
ステップＳＴ３４で削除が指定されない場合は、終了が指定されたかを調査し（ＳＴ４１）、終了が指定されなければステップＳＴ２５のキー入力へ戻り、終了が指定されれば全ての一時記憶領域211 に記憶されている送信元情報のデータの並べ替えを行い終了する（ＳＴ４２）。
【００６４】
以上説明したように上記発明の実施の形態によれば、受信したファクシミリデータに送信元情報が付加しているときは、それを一時記憶し、必要なものだけを電話帳に登録することができる。
【００６５】
また、一時記憶の登録削除処理を行わなくても、一定期問が経過することにより消去されるため電話帳がいっばいになることがない。
また、当然、電話帳への不要なデータの登録も行われることがない。
なお、上記実施の形態においてはディジタル複写機で説明したが、本発明はファクシミリ装置にも応用可能である。
【００６６】
【発明の効果】
以上詳述したようにこの発明によれば、ファクシミリを受信した際の送信元情報をメモリ等の記憶手段に電話帳等のかたちで保有する場合の登録における入力作業を必要とせず、消し込み作業も必要とせず容易に登録することのできるファクシミリ装置と画像形成装置と送信元情報の登録方法を提供することができる。
【図面の簡単な説明】
【図１】この発明の画像形成装置に係るディジタル複写機が有するＦＡＸボードの詳細を示すブロック図。
【図２】この発明の画像形成装置に係るデジタル複写機の断面図。
【図３】コントロールパネルの構成を示す図。
【図４】この発明のディジタル複写機の制御構成を示す図。
【図５】ファクシミリ受信動作を説明するためのフローチャート。
【図６】ファクシミリ受信動作を説明するためのフローチャート。
【図７】ファクシミリ受信動作を説明するためのフローチャート。
【図８】メッセージ表示部の表示例を示す図。
【図９】メッセージ表示部の表示例を示す図。
【符号の説明】
２…スキャナ
３…プリンタ
９３…メッセージ表示部
100 …コントロールパネル
110 …コンパネ部
120 …スキャナ部
130 …メインコントローラ
131 …メインＣＰＵ
200 …ＦＡＸボード
201 …ＦＡＸ  ＣＰＵ
205 …不揮発性メモリ
210 …電話帳領域
211 …一時記憶領域
212 …その他領域
【図１】
0003712781.tif 000002
【図２】
0003712781.tif 000003
【図３】
0003712781.tif 000004
【図４】
0003712781.tif 000005
【図５】
0003712781.tif 000006
【図６】
0003712781.tif 000007
【図７】
0003712781.tif 000008
【図８】
0003712781.tif 000009
【図９】
0003712781.tif 000010